(57)【要約】      （修正有）【課題】ジャケット全体の軽量化を図ると共に、ライナーの着脱操作を容易とし、コストダウンも図り得るライナー付き女性用ジャケットを提供する。【解決手段】ジャケット本体２とライナー３の間の着脱手段１０１を、ジャケット本体に設けた左右の各取付布部１０２、１０３の上下段部を含む適宜個所に設けた複数の見返しボタン穴２２４〜２２９と、これ等の各見返しボタン穴に着脱可能に嵌め込むべくライナーの左右のライナー見返し３０１、３０２に設けた複数の見返しボタン３１０〜３１５と、ジャケット本体の左右の腋下部２１３ａ、２１４ａの内側に取り付けられた腋下ボタン２３０、２３１と、この左右の腋下ボタンを着脱自在に取り付けるライナーの左右の腋下部３０４ａ、３０５ａに取り付けられた腋下ボタンループ３１６、３１７と、ジャケット本体の襟下中央部に設けた襟下ボタンループ２２３と、ライナーの上縁の中央部に設けた襟下ボタンループへ着脱可能に取り付けられる襟下ボタン３０９とで構成する。【選択図】図３
0003201732.tif 000002
【実用新案登録請求の範囲】
【請求項１】
ジャケット本体に対し着脱手段を介してライナーを着脱可能に取り付けることのできるライナー付き女性用ジャケットであって、前記ライナーはそれ自身の前側を閉じる係合手段を有しない構成とすると共に、その左右幅を前記ライナー自身の左右のライナー見返しの左右の縁部が前記ジャケット本体の左右の各見返しの左右の幅方向に上下方向に渡って設けた帯状の取付布部の中に挟み込まれる幅とし、前記着脱手段を、前記左右の各取付布部の上下段部を含む適宜個所に設けた複数の見返しボタン穴と、これ等の各見返しボタン穴に着脱可能に嵌め込むべく前記ライナーの左右のライナー見返しに設けた複数の見返しボタンと、前記ジャケット本体の左右の腋下部の内側に取り付けられた腋下ボタンと、前記ライナーの左右の腋下部に取り付けられた前記腋下ボタンを着脱可能に取り付ける腋下ボタンループと、前記ジャケット本体の襟下中央部に設けた襟下ボタンループと、前記ライナーの上縁の中央部に設けた前記襟下ボタンループに着脱可能に取り付ける襟下ボタンと、で構成したことを特徴とする、ライナー付き女性用ジャケット。
【請求項２】
ジャケット本体に対し着脱手段を介してライナーを着脱可能に取り付けることのできるライナー付き女性用ジャケットであって、前記ライナーはそれ自身の前側を閉じる係合手段を有しない構成とすると共に、その左右幅を前記ライナー自身の左右のライナー見返しの左右の縁部が前記ジャケット本体の左右の各見返しの左右の幅方向に上下方向に渡って設けた帯状の取付布部の中に挟み込まれる幅とし、前記着脱手段を、前記左右の各取付布部の上下段部を含む適宜個所に設けた複数の見返しボタン穴と、これ等の各見返しボタン穴に着脱可能に嵌め込むべく前記ライナーの左右のライナー見返しに設けた複数の見返しボタンと、前記ジャケット本体の左右の腋下部の内側に取り付けられた腋下ボタンループと、前記ライナーの左右の腋下部に取り付けられた前記腋下ボタンループへ着脱可能に取り付ける腋下ボタンと、前記ジャケット本体の襟下中央部に設けた襟下ボタンループと、前記ライナーの上縁の中央部に設けた前記襟下ボタンループへ着脱可能に取り付ける襟下ボタンと、で構成したことを特徴とする、ライナー付き女性用ジャケット。
【請求項３】
前記着脱手段を構成するボタンの取付箇所は、前記ライナーの左右のライナー見返しのそれぞれ３個所ずつと、前記ジャケット本体の両腋下の２個所と、前記ライナーの上縁の中央部の１個所の合計９箇所であることを特徴とする、請求項１に記載のライナー付き女性用ジャケット。
【請求項４】
前記ジャケット本体に取り付けられる襟下ボタンループは、前記ジャケット本体の吊下げ用ループを兼ねることを特徴とする、請求項１又は２のいずれか１項に記載のライナー付き女性用ジャケット。
【考案の詳細な説明】
【技術分野】
【０００１】
本考案は、内側に簡単な構成の着脱手段を介してライナーを着脱可能に取り付けることのできるライナー付き女性用ジャケットに関する。
【背景技術】
【０００２】
寒い時の冠婚葬祭時、或は外出時におけるちょっとした寒さ対策として、ジャケットの本体の内側にライナーを着脱可能に取り付けることのできるジャケットが下記特許文献１と２に記載されているように公知である。
【０００３】
この特許文献１に記載のジャケットは、学生服に関するものであって、ライナーを学生服の中にボタンと、ファスナーから成る着脱手段を用いて着脱可能に取り付けたり、ライナーの前身頃同士を同じくファスナーで開閉するものであったため、着脱が煩雑である上に、着脱手段が重くなり、これを女性用ジャケットに応用すると、肩が凝ってしまうという問題点があった。
【０００４】
また、特許文献２に記載の上衣（ジャケット）は、ライナーが後見頃を除去することによって、左右の前身頃のみに２分割されており、この左右の前身頃をそれぞれ上衣本体へボタンを用いて着脱するものであるが、ライナーが左右の前身頃に分離されているため、着脱に時間を要する上に、後見頃がないので、寒さ対策としては不十分であるという問題点があった。
【先行技術文献】
【特許文献】
【０００５】
【特許文献１】公開実用昭和５７−３４５３０号公報
【特許文献２】公開実用昭和６１−８６４０６号公報
【考案の概要】
【考案が解決しようとする課題】
【０００６】
そこで、この考案の目的は、ジャケット本体と後見頃のあるライナーとの着脱手段を、ファスナー（ジッパー、チャック）ではなくボタンとすることによりジャケットの軽量化を図ると共に、ボタンの数及び取付位置を適切に選定することによって、ライナーの着脱操作の面倒さを軽減し、ジャケット着用中に当該ジャケットが突っ張ったり、一部が引きつって外観が損なわれたりすることがない上に、コストダウンも図り得るライナー付き女性用ジャケットを提供せんとする。
【課題を解決するための手段】
【０００７】
上記課題を解決するために、請求項１考案は、ジャケット本体に対し着脱手段を介してライナーを着脱可能に取り付けることのできるライナー付き女性用ジャケットであって、前記ライナーはそれ自身の前側を閉じる係合手段を有しない構成とすると共に、その左右幅を前記ライナー自身の左右のライナー見返しの左右の縁部が前記ジャケット本体の左右の各見返しの左右の幅方向に上下方向に渡って設けた帯状の取付布部の中に挟み込まれる幅とし、前記着脱手段を、前記左右の各取付布部の上下段部を含む適宜個所に設けた複数の見返しボタン穴と、これ等の各見返しボタン穴に着脱可能に嵌め込むべく前記ライナーの左右のライナー見返しに設けた複数の見返しボタンと、前記ジャケット本体の左右の腋下部の内側に取り付けられた腋下ボタンと、前記ライナーの左右の腋下部に取り付けられた前記腋下ボタンを着脱可能に取り付ける腋下ボタンループと、前記ジャケット本体の襟下中央部に設けた襟下ボタンループと、前記ライナーの上縁の中央部に設けた前記襟下ボタンループに着脱可能に取り付ける襟下ボタンと、で構成したことを特徴とする。
【０００８】
また、請求項２考案は、ジャケット本体に対し着脱手段を介してライナーを着脱可能に取り付けることのできるライナー付き女性用ジャケットであって、前記ライナーはそれ自身の前側を閉じる係合手段を有しない構成とすると共に、その左右幅を前記ライナー自身の左右のライナー見返しの左右の縁部が前記ジャケット本体の左右の各見返しの左右の幅方向に上下方向に渡って設けた帯状の取付布部の中に挟み込まれる幅とし、前記着脱手段を、前記左右の各取付布部の上下段部を含む適宜個所に設けた複数の見返しボタン穴と、これ等の各見返しボタン穴に着脱可能に嵌め込むべく前記ライナーの左右のライナー見返しに設けた複数の見返しボタンと、前記ジャケット本体の左右の腋下部の内側に取り付けられた腋下ボタンループと、前記ライナーの左右の腋下部に取り付けられた前記腋下ボタンループへ着脱可能に取り付ける腋下ボタンと、前記ジャケット本体の襟下中央部に設けた襟下ボタンループと、前記ライナーの上縁の中央部に設けた前記襟下ボタンループへ着脱可能に取り付ける襟下ボタンと、で構成したことを特徴とする。
【０００９】
そして、請求項３考案は、請求項１考案において、前記着脱手段を構成するボタンの取付箇所は、前記ライナーの左右のライナー見返しのそれぞれ３個所ずつと、前記ジャケット本体の両腋下の２個所と、前記ライナーの上縁の中央部の１個所の合計９箇所であることを特徴とする。
【００１０】
さらに、請求項４考案は、請求項１又は２のいずれか１項の考案において、前記ジャケット本体に取り付けられる襟下ボタンループは、前記ジャケット本体の吊下げ用ループを兼ねることを特徴とする。
【考案の効果】
【００１１】
請求項１考案によれば、ライナーはジャケット本体の内側に簡単な着脱手段によって容易に着脱でき、かつ着脱手段が軽量なので、ライナーを取り付けてもその重量を感ずることはない。とくに冠婚葬祭の場においては、式の最中に礼服の上に何かを羽織るというわけにはいかない場合もあり、本考案のように簡単にライナーを着脱できれば、便利有用である。
【００１２】
請求項２考案によれば、腋下ボタンと腋下ボタンループによる着脱手段をジャケット本体側とライナー側とで逆にするだけであるが、ジャケット本体単独で着用する場合には、腋下ボタンが肌に当たり、違和感を生じさせる恐れが少ないという効果を奏し得る。
【００１３】
請求項３考案によれば、襟下ボタンを取り付ける襟下ボタンループを、ジャケット本体を吊下げる吊下げ用ループを兼用することができ、コストダウンを図ることができる。
【００１４】
請求項４考案によれば、ボタンの数が全部で９個と少ないので、着脱操作がし易く、且つ軽量となるという効果を奏し得る。
【図面の簡単な説明】
【００１５】
【図１】本考案に係るライナー付き女性用ジャケットの一実施例を示す正面図である。
【図２】図１に示したライナー付き女性用ジャケットのジャケット本体とライナーとを分離した状態を示す斜視図である。
【図３】図１に示したライナー付き女性用ジャケットにおいて、ライナーを取り付けた状態でジャケット本体の前面を開いた状態を示す内面展開図である。
【図４】図３と同様の展開状態において、ライナーを取り外した状態を示すジャケット本体の内面展開図である。
【図５】ライナーの内面展開図である。
【考案を実施するための形態】
【００１６】
以下、図面を参照しつつ本考案に係るライナー付き女性用ジャケットの好適な実施例について説明する。尚、各図中における左右関係については、着用者本位で記載してあるため、着用者にとっての右側は図面では左側に、着用者にとっての左側は図面では右側にして描いてある。
【実施例】
【００１７】
図１〜図５に示した本考案に係るライナー付き女性用ジャケット１は、女性用のフォーマルジャケットを一例として示してあるが、女性用のスーツ、ブレザー、ハーフコート、ジャンパー等々に広く応用できるものである。
【００１８】
図示したライナー付き女性用ジャケット１は、ジャケット本体２と、このジャケット本体２に対し着脱手段１０１を介して着脱可能に取り付けることのできるライナー３とで構成されている。ライナー３は、後見頃と左右の前身頃が一体に形成されると共に、ライナー３自身の前側を閉じる係合手段を有しない構成とすると共に、その左右幅を前記ライナー３自身の左右のライナー右見返し３０１とライナー左見返し３０２（左右の前身頃としてもよい。）の右縁部３０７と左縁部３０８が前記ジャケット本体２の左右の各右見返し２０７と左見返し２０８の左右の幅方向に上下方向に渡って設けた帯状の右取付布部１０２と左取付布部１０３の中に挟み込まれる幅としてある。
【００１９】
着脱手段１０１は、左右の各右取付布部１０２と左取付布部１０３の上下段部を含む適宜個所に設けた複数の右上段見返しボタン穴２２４、右中段見返しボタン穴２２５、右下段見返しボタン穴２２６及び左上段見返しボタン穴２２７、左中段見返しボタン穴２２８、左下段見返しボタン穴２２９と、これ等の右上段見返しボタン穴２２４、右中段見返しボタン穴２２５、右下段見返しボタン穴２２６及び左上段見返しボタン穴２２７、左中段見返しボタン穴２２８、左下段見返しボタン穴２２９に着脱可能に嵌め込むべく前記ライナー３の左右のライナー右見返し３０１とライナー左見返し３０２に設けた複数の右上段見返しボタン３１０、右中段見返しボタン３１１、右下段見返しボタン３１２及び左上段見返しボタン３１３、左中段見返しボタン３１４、左下段見返しボタン３１５と、前記ジャケット本体２の右ジャケット腋下部２１３ａと左ジャケット腋下部２１４ａの内側に取り付けられた右腋下ボタン２３０及び左脇下ボタン２３１と、前記ライナー３の右ライナー腋下部３０４ａと左ライナー腋下部３０５ａに取り付けられた前記右腋下ボタン２３０及び左脇下ボタン２３１を着脱可能に取り付ける右腋下ボタンループ３１６及び左腋下ボタンループ３１７と、前記ジャケット本体２の襟下中央部に設けた襟下ボタンループ２２３と、前記ライナー３の上縁の中央部に設けた前記襟下ボタンループ２２３に着脱可能に取り付ける襟下ボタン３０９とで構成するものである。
【００２０】
ジャケット本体２は、図１、２、４等に示すように、表地２０１、裏地２０２、襟２０３、本体右前見頃２０４、本体左前見頃２０５、本体後見頃２０６、本体右アームホール２１３、本体左アームホール２１４、右袖裏地２１５、左袖裏地２１６、第１前ボタン２１７、第２前ボタン２１８、第３前ボタン２１９、第１前ボタン穴２２０、第２前ボタン穴２２１、第３前ボタン穴２２２、右袖２３２、左袖２３３、等々から構成される。これらの構成要素は、通常の女性用ジャケットの場合と同様であるので、具体的な説明は省略する。
【００２１】
ジャケット本体２における本体右前見頃２０４と本体左前見頃２０５とは、着用時に重ねられ、前記第１前ボタン２１７、第２前ボタン２１８、第３前ボタン２１９（図１参照）を、それぞれ第１前ボタン穴２２０、第２前ボタン穴２２１、第３前ボタン穴２２２に嵌め入れることによって、ジャケット本体２の前を閉じることができる。
【００２２】
前記本体右見頃２０４の裏側の右見返し２０７（図３、４参照）は、表地２０１と同じ生地で襟２０３から連続するように幅広に作製され、右重ね部縫い目２１１によって裏地２０２と縫い付けられ、この右重ね部縫い目２１１よりも内側に裏地２０２から浮いた状態で設けられたところのジャケット本体２の下端部から右鎖骨前の部分まで上下方向に伸びる帯状の右取付布部１０２が設けられている。この右取付布部１０２に右上段見返しボタン穴２２４、右中段見返しボタン穴２２５及び右下段見返しボタン穴２２６が設けられ、裏地２０２と右取付布部１０２との間に後述するライナー３の右縁部３０７が挿入できるようになっている（図３参照）。
【００２３】
同様に、前記本体左見頃２０５の裏側の左見返し２０８（図３、４参照）は、表地２０１と同じ生地で襟２０３から連続するように幅広に作製され、左重ね部縫い目２１２によって裏地２０２と縫い付けられ、この左重ね部縫い目２１２よりも内側に裏地２０２から浮いた状態で設けられたところのジャケット本体２の下端部から左鎖骨前の部分まで上下方向に伸びる帯状の左取付布部１０３が設けられている。この左取付布部１０３に左上段見返しボタン穴２２７、左中段見返しボタン穴２２８及び左下段見返しボタン穴２２９が設けられ、裏地２０２と左取付布部１０３との間に後述するライナー３の左縁部３０８が挿入できるようになっている（図３参照）。
【００２４】
襟下ボタンループ２２３は、ジャケット本体２の内面側において、襟２０３の下の位置で裏地２０２から浮き上がる状態に取り付けられ、後述するライナー３の襟下ボタン３０９を掛け外すことができるようになっている（図３参照）。
【００２５】
本体右アームホール２１３の下縁近くには右腋下ボタン２３０が取り付けられ、同様に、本体左アームホール２１４の下縁近くには左腋下ボタン２３１が取り付けられ、これらのボタンは後述するライナー３の右腋下ボタンループ３１６と左腋下ボタンループ３１７にそれぞれ掛け外すことができるようになっている（図３参照）。
【００２６】
次に、前記ライナー３は、図５等に示すように、ライナー右見返し３０１、ライナー左見返し３０２、ライナー後見頃３０３、ライナー右アームホール３０４、ライナー左アームホール３０５、等々から構成される。これらの構成要素は、通常のジャケット用ライナーの場合と同様であるので、具体的な説明は省略する。ライナー３の大きさは、図４に示したように、上下方向の丈は上端部がジャケット本体２の襟下２０３ａからジャケット本体の下端縁のやや上部に至るまでの丈を有し、左右の幅は、同じく図４に示したように、その右縁部３０７と左縁部３０８が右取付布部１０２と左取付布部１０３と裏地２０２との間に挟み込まれる位置までの幅を有している。また、ライナー３は、左右のライナー右見返し３０１とライナー左見返し３０２を閉じ合せた際に互いに係合させるボタンやファスナーなどの係合手段を有しない構成である。
【００２７】
ライナー３の上縁部３０６には、その中央に襟下ボタン３０９が取り付けられ、ジャケット本体２側の右取付布部１０２と左取付布部１０３の着用者の左右の鎖骨にほぼ臨む位置に右上段見返しボタン３１０と左上段見返しボタン３１３とがそれぞれ取り付けられる。
【００２８】
ライナー３の右側のライナー右見返し３０１と左側のライナー左見返し３０２のそれぞれ中段部分には、右中段見返しボタン３１１と左中段見返しボタン３１４とが取り付けられ、右側のライナー右見返し３０１と左側のライナー左見返し３０２のそれぞれ下段部分には、右下段見返しボタン３１２と左下段見返しボタン３１５とが取り付けられる。
【００２９】
ライナー右アームホール３０４の下縁近くには右腋下ボタンループ３１６が取り付けられ、同様に、ライナー左アームホール３０５の下縁近くには左腋下ボタンループ３１７が取り付けられる。
【００３０】
以上の構成において、ジャケット本体２とライナー３とは、９個のボタン、即ち、ライナー３の上縁部３０６における襟下ボタン３０９、ライナー右見返し３０１に設けた右上段見返しボタン３１０、右中段見返しボタン３１１、右下段見返しボタンン３１２、ライナー左見返し３０２に設けた左上段見返しボタン３１３、左中段見返しボタン３１４、左下段見返しボタン３１５と、ジャケット本体２における前記右腋下ボタン２３０、左腋下ボタン２３１とによって、互いに着脱可能に取り付けられるようになっている。
【００３１】
ボタンの数がこれより多かったり、各ボタンの取付位置が図示した位置と大きく異なっていたりすると、ライナーの着脱作業が面倒となったり、ジャケット本体２とライナー３との相対的な動きが阻害されて、着用中に突っ張ったり、動作時にジャケット本体２の外形が不自然な形に歪んで見えたりするなどの不具合が生じる。逆に、ボタンの数がこれより少ないと、ジャケット本体２とライナー３との相互間の追従性が不十分になり、一方が他方からめくれ上がったり、ジャケット本体２の表面に大きな波ができたりするなどの不具合が生じる虞がある。
【００３２】
図示した実施例における前記９個のボタンの取付位置及びライナー着脱時のそれらのボタンの掛け外し操作について、より具体的に説明する。図５に示すように、７個のボタン、即ち、襟下ボタン３０９、右上段見返しボタン３１０、右中段見返しボタン３１１、右下段見返しボタン３１２、左上段見返しボタン３１３、左中段見返しボタン３１４、左下段見返しボタン３１５は、すべてライナー３の内面側（着用時に人体に臨む側）に取り付けられる。また、図４に示すように、残りの２個のボタン、即ち、右腋下ボタン２３０及び左腋下ボタン２３１は、ジャケット本体２の内面側に取り付けられる。
【００３３】
これらのボタンのうち、襟下ボタン３０９は、ライナー３の上縁部３０６の中央位置に取り付けられ、ジャケット本体２の襟下ボタンループ２２３に掛け外しされる。右上段見返しボタン３１０と左上段見返しボタン３１３は、前記襟下ボタン３０９の両側で、着用者の左右の鎖骨にほぼ臨む位置に取り付けられ、ジャケット本体２の右上段見返しボタン穴２２４と左上段見返しボタン穴２２７にそれぞれ掛け外しされる。
【００３４】
右中段見返しボタン３１１と右下段見返しボタン３１２とは、ライナー３のライナー右見返し３０１に沿って取り付けられ、ジャケット本体２の右中段見返しボタン穴２２５及び右下段見返しボタン穴２２６にそれぞれ掛け外しされる。同様に、左中段見返しボタン３１４と左下段見返しボタン３１５とは、ライナー３のライナー左見返し３０２に沿って取り付けられ、ジャケット本体２の左中段見返しボタン穴２２８及び左下段見返しボタン穴２２９にそれぞれ掛け外しされる。
【００３５】
尚、前記右上段見返しボタン穴２２４、右中段見返しボタン穴２２５、及び右下段見返しボタン穴２２６は、右見返し２０７の右重ね部縫い目２１１よりも内方側の領域に設けられている。これらの各見返しボタン穴に、前記右上段見返しボタン３１０、右中段見返しボタン３１１及び右下段見返しボタン３１２のボタン掛け作業を行う際には、ライナー３の右縁部３０７をジャケット本体２の右見返し２０７と裏地２０２との間に差し入れて、各見返しボタン穴へのボタン掛けを行うようにする（図３を併せて参照）。
【００３６】
同様に、前記左上段見返しボタン穴２２７、左中段見返しボタン穴２２８及び右下段見返しボタン穴２２９は、左見返し２０８の左重ね部縫い目２１２よりも内方側の領域に設けられている。これらの各見返しボタン穴に、前記左上段見返しボタン３１３、左中段見返しボタン３１４及び左下段見返しボタン３１５のボタン掛け作業を行う際には、ライナー３の左縁部３０８をジャケット本体２の前記左見返し２０８と裏地２０２との間に差し入れて、各ボタン穴へのボタン掛けを行うようにする（図３を併せて参照）。
【００３７】
最後に、前記右腋下ボタン２３０は本体右アームホール２１３の右ジャケット腋下部２１３ａに取り付けられ、ライナー３の右腋下ボタンループ３１６に掛け外しされる。同様に、左腋下ボタン２３１は本体左アームホール２１４の左ジャケット腋下部２１４ａに取り付けられ、ライナー３の左腋下ボタンループ３１７に掛け外しされる（図３参照）。尚、ライナー３のジャケット本体２に対する着脱手順は、上記したものに限定されない。それは任意の箇所から着脱することができる。
【００３８】
また、前記の各ボタンと、ボタン穴及びボタンループを、ジャケット本体２とライナー３のどちら側にそれぞれを取り付けるかは自由であるが、図示した実施例の如く、右腋下ボタン２３０及び左腋下ボタン２３１の２個だけをジャケット本体２側に取り付け、他の７個のボタンはすべてライナー３側に取り付けることが、前記の如く、ライナー着脱操作の容易さや製造作業の容易さ等の観点から推奨される。さらに、その他の実施例として、図示は省略するが、ジャケット本体２側の右腋下ボタン２３０及び左腋下ボタン２３１は、これをライナー３の左右の腋下部に取り付け、右腋下ボタン２３０及び左腋下ボタン２３１の方を、腋下ボタンループとしてジャケット本体２の左右の両アームホール２１３，２１４の両腋下部に取り付けても良い。また、襟下ボタンループ２２３は、ジャケット本体２の吊下げ用ループを兼ねることができる。
【産業上の利用可能性】
【００３９】
本考案は以上の如く構成したため、ジャケット本体とライナーとの着脱手段をボタンとボタン穴、或はループとしたことにより、とくにライナー付き女性用ジャケットの軽量化が可能となると共に、ボタンの数及び取付位置を適切に選定したことによって、ライナーの着脱作業の面倒さを軽減し、ジャケット着用中にジャケット本体が突っ張ったり、一部が引きつって外観が損なわれたりすることがなく、コストダウンも図り得るライナー付き女性用ジャケットとして好適に用いられるものである。
【符号の説明】
【００４０】
１        ライナー付き女性用ジャケット  
１０１    着脱手段
１０２    右取付布部
１０３    左取付布部
２        ジャケット本体
２０３    襟
２０３ａ  襟下
２０７    右見返し
２０８    左見返し
２１１    右重ね部縫い目
２１２    左重ね部縫い目
２１３ａ  右ジャケット腋下部
２１４ａ  左ジャケット腋下部
２２３    襟下ボタンループ
２２４    右上段見返しボタン穴
２２５    右中段見返しボタン穴
２２６    右下段見返しボタン穴
２２７    左上段見返しボタン穴
２２８    左中段見返しボタン穴
２２９    左下段見返しボタン穴
２３０    右腋下ボタン
２３１    左腋下ボタン
３        ライナー
３０１    ライナー右見返し
３０２    ライナー左見返し
３０３    ライナー後見頃
３０４    ライナー右アームホール
３０４ａ  右ライナー腋下部
３０５    ライナー左アームホール
３０５ａ  左ライナー腋下部
３０６    上縁部
３０７    右縁部
３０８    左縁部
３０９    襟下ボタン
３１０    右上段見返しボタン
３１１    右中段見返しボタン
３１２    右下段見返しボタン
３１３    左上段見返しボタン
３１４    左中段見返しボタン
３１５    左下段見返しボタン
３１６    右腋下ボタンループ
３１７    左腋下ボタンループ
【図１】
0003201732.tif 000003
【図２】
0003201732.tif 000004
【図３】
0003201732.tif 000005
【図４】
0003201732.tif 000006
【図５】
0003201732.tif 000007